(57)【要約】【課題】  ガスケットを用いないでシールを達成するシール構造、ガスケットホルダーおよび吐出装置を提供すること。【解決手段】  高粘度流体が充填されるカートリッジ１１には、前記充填される高粘度流体を吐出するカートリッジ吐出口部１４が形成され、カートリッジ１１を内方に装填するカートリッジホルダー１２には、カートリッジ吐出口部１４から吐出される高粘度流体を、ホルダー吐出口２９を通して吐出するホルダー吐出口部２６が形成されている。カートリッジホルダー１２の内壁部には、前記外吐出口２９に向かって先細りのテーパ形状の着座部２８が形成され、この着座部２８とカートリッジ吐出口部１４とによって、シールが達成される。【選択図】      図１
0003128233.tif 000002
【実用新案登録請求の範囲】
【請求項１】
液体が充填され、内吐出口部を有するカートリッジと、
内方にカートリッジが装填可能であって、外吐出口部を有するカートリッジホルダーとを有し、
前記外吐出口部は、その内壁部によって、内吐出口部が着座してシールを達成する着座部を形成し、
着座部は、テーパ形状であることを特徴とするシール構造。
【請求項２】
前記内吐出口部は、合成樹脂から成り、
前記着座部は、前記内吐出口部より剛性の高い材料から成ることを特徴とする請求項１に記載のシール構造。
【請求項３】
前記内吐出口部は、その外周面部が前記着座部に嵌合可能なテーパ形状に形成されていることを特徴とする請求項１または２に記載のシール構造。
【請求項４】
液体が充填されるカートリッジを内方に装填可能なカートリッジホルダーであって、
カートリッジの内吐出口部から吐出される前記液体を、外吐出口を通して吐出する外吐出口部と、
前記内吐出口部と協働してシールを達成する着座部とを有し、
前記着座部は、外吐出口部の内壁部によって形成され、前記外吐出口に向かって先細りのテーパ形状であることを特徴とするカートリッジホルダー。
【請求項５】
液体が充填されるカートリッジと、前記カートリッジが内方に装填されるカートリッジホルダーとを含む吐出装置であって、
カートリッジは、
液体が充填されるカートリッジ本体と、
前記充填される液体を内吐出口から吐出する内吐出口部と、
前記カートリッジ本体内を前記内吐出口に向かって摺動変位可能であって、摺動変位することによって充填される液体を前記内吐出口から押し出すプランジャとを有し、
カートリッジホルダーは、
前記内吐出口部から吐出される液体を、外吐出口を通じて吐出する外吐出口部と、
前記内吐出口部が着座してシールを達成する着座部とを有し、
前記着座部は、前記外吐出口部の内壁部によって形成され、前記外吐出口に向かって先細りのテーパ形状であることを特徴とする吐出装置。
【請求項６】
前記カートリッジ本体と前記カートリッジホルダーとの間には、圧縮気体を導くための間隙が形成されていることを特徴とする請求項５に記載の吐出装置。
【請求項７】
前記吐出装置は、液体を吐出する液体吐出装置に、充填される液体を供給する供給装置であることを特徴とする請求項５または６に記載の吐出装置。
【請求項８】
前記液体は、高粘度流体であることを特徴とする請求項５〜７のいずれか1つに記載の吐出装置。
【考案の詳細な説明】
【技術分野】
【０００１】
本考案は、吐出すべき液体が充填されているカートリッジと、カートリッジが装填されるカートリッジホルダーとのシール構造、前記シール構造を実現するカートリッジホルダーおよび吐出装置に関する。
【背景技術】
【０００２】
図５は、関連技術の吐出装置１の一部を拡大して示す図である。本考案の関連技術である吐出装置１は、シーリング剤および接着剤などの高粘度流体が充填されるカートリッジ２が、カートリッジホルダー３の内方に装填されて成り、カートリッジ２の内方に圧縮空気などの圧縮気体を供給して、カートリッジ２内から高粘度流体を押し出し、ディスペンサーなどの液体吐出装置に高粘度流体を供給する装置である。カートリッジホルダー３は、その先端部に外吐出口部６を有し、この外吐出部６の内壁部５にカートリッジ２の内吐出口部４が螺着されている。また前記外吐出口部６の内壁部には、螺着される内吐出口部４より先端側に段部７が形成されている。この段部７と内吐出口部４との間にガスケット８が介在させて、内吐出口部４と前記段部７とによってガスケット８を挟持している。このようにガスケット８を挟持することによってシールを達成し、カートリッジホルダー３内方に供給される圧縮気体および異物が、高粘度流体に混入することを防いでいる。先行技術文献は、見つかっていない。
【考案の開示】
【考案が解決しようとする課題】
【０００３】
関連技術の吐出装置１では、内吐出口部４と前記段部７とでガスケット８を挟持することによってシールが達成され、螺着される内吐出口部４を締めることによって、その締め込み量を調整し締め付け強度を調整することができる。内吐出口部４を締めることによって、ガスケット８が変形し、圧縮気体が漏れるおそれがある。また締め付け限界以上に、過度に締め付けることによって、ガスケット８が破損するおそれがある。さらにガスケットが高粘度流体に曝されているので、高粘度流体による膨潤が生じて破損し、圧縮気体が漏れるおそれがある。ガスケットによってシールを達成しようとすると、このような様々な問題が生じ、またガスケットを設ける分だけ部品点数が増加し、構造が複雑になる。さらにガスケットは、消耗部品であるので、定期的に取り替える必要があり、面倒である。
【０００４】
本考案は、ガスケットを用いないでシールを達成するシール構造、ガスケットホルダーおよび吐出装置を提供することを目的としている。
【課題を解決するための手段】
【０００５】
請求項１の考案に係るシール構造は、液体が充填され、内吐出口部を有するカートリッジと、内方にカートリッジが装填可能であって、外吐出口部を有するカートリッジホルダーとを有し、前記外吐出口部は、その内壁部によって、内吐出口部が着座してシールを達成する着座部を形成し、着座部は、テーパ形状であるものである。
【０００６】
請求項１の考案に係るシール構造によると、着座部がテーパ形状に形成されているので、楔効果が得ることができ、カートリッジホルダーにカートリッジを装填すると、内吐出口部と着座部とによって、シールを達成することができる。
【０００７】
請求項２の考案に係るシール構造は、請求項１の考案において、前記内吐出口部は、合成樹脂から成り、前記着座部は、前記内吐出口部より剛性の高い材料から成るものである。
【０００８】
請求項２の考案に係るシール構造によると、内吐出口部を着座部に当接することによって、合成樹脂の柔軟性により、良好なシールを実現することができる。また着座部が内吐出口部より剛性の高い材料から成るので、シールを達成するとき、内吐出口部が変形し、着座部は変形しない。それ故、使用するとともにカートリッジの変形が大きくなりシール性が低下するが、着座部が変形しないので、カートリッジを交換することによって、元のシール性を確保することができる。
【０００９】
請求項３の考案に係るシール構造は、請求項１または２のいずれか1つの考案において、前記内吐出口部は、その外周面部が前記着座部に嵌合可能なテーパ形状に形成されているものである。
【００１０】
請求項３の考案に係るシール構造によると、内吐出口部の外周面部がテーパ形状に形成されているので、内吐出口部の外周面部が着座部に嵌合し、面接触によるシールを達成することができ、前記外周面部に過度の押圧力が作用して前記外周面部が変形および破損することを防止できる。
【００１１】
請求項４の考案に係るカートリッジホルダーは、液体が充填されるカートリッジを内方に装填可能なカートリッジホルダーであって、カートリッジホルダーの内吐出口部から吐出される前記液体を、外吐出口を通して吐出する外吐出口部と、前記内吐出口部と協働してシールを達成する着座部とを有し、前記着座部は、外吐出口部の内壁部によって形成され、前記外吐出口に向かって先細りのテーパ形状であるものである。
【００１２】
請求項４の考案に係るカートリッジホルダーによると、着座部がテーパ形状であるので、楔効果が得ることができ、カートリッジホルダーにカートリッジを装填すると、内吐出口部と着座部とによって、シールを達成することができる。
【００１３】
請求項５の考案に係る吐出装置は、液体が充填されるカートリッジと、前記カートリッジが内方に装填されるカートリッジホルダーとを含む吐出装置であって、カートリッジは、液体が充填されるカートリッジ本体と、前記充填される液体を内吐出口から吐出する内吐出口部と、前記カートリッジ本体内を前記内吐出口に向かって摺動変位可能であって、摺動変位することによって充填される液体を前記内吐出口から押し出すプランジャとを有し、カートリッジホルダーは、前記内吐出口部から吐出される液体を、外吐出口を通じて吐出する外吐出口部と、前記内吐出口部が着座してシールを達成する着座部を有し、前記着座部は、前記外吐出口部の内壁部によって形成され、前記外吐出口に向かって先細りのテーパ形状であるものである。
【００１４】
請求項５の考案に係る吐出装置によると、カートリッジホルダーに圧縮気体が注入されると、プランジャが内吐出口に向かってカートリッジ本体内を摺動変位し、外吐出口から液体を吐出する。着座部がテーパ形状であるので、楔効果が得ることができ、カートリッジホルダーにカートリッジを装填すると、内吐出口部と着座部とによって、圧縮気体が外吐出口に漏れないようにシールを達成することができる。これによって圧縮気体が前記液体に混入されることを抑制できる。
【００１５】
請求項６の考案に係る吐出装置は、請求項５の考案において、前記カートリッジ本体と前記カートリッジホルダーとの間には、圧縮気体を導くための間隙が形成されているものである。
【００１６】
請求項６の考案に係る吐出装置によると、カートリッジ本体とカートリッジホルダーとの間に圧縮気体が介在し、カートリッジ本体の膨張を抑制することができる。これによってカートリッジ本体が膨張してカートリッジ本体とプランジャとの間に隙間ができ、カートリッジ本体に充填される液体がカートリッジホルダー内に漏れる、または前記充填される高粘度流体に圧縮気体が混入することを防止できる。
【００１７】
請求項７の考案に係る吐出装置は、請求項５または６の考案において、液体を吐出する液体吐出装置に、充填される液体を供給する供給装置である。
【００１８】
請求項７の考案に係る吐出装置によると、吐出装置から液体吐出装置に液体を供給することができるので、液体吐出装置に、気体および異物が混入していない純度の高い液体を供給し、吐出させることができる。これによって液体吐出装置から吐出される液体に気泡および異物が含まれることを防ぐことができる。
【００１９】
請求項８の考案に係る吐出装置は、請求項５〜７のいずれか１つの考案において、前記液体が高粘度流体であるものである。
【００２０】
請求項８の考案に係る吐出装置によると、高粘度流体を用いているので、このような簡単な構造であっても充分なシール性を発揮することができ、気体および異物が混入しない品質の高い高粘度流体を吐出することができる。
【考案の効果】
【００２１】
請求項１、４および５の考案に係るシール構造、カートリッジホルダーおよび吐出装置によると、着座部がテーパ形状であるので、楔効果が得られ、内吐出口部と着座部とによってシールを達成できる、つまりカートリッジおよびカートリッジホルダーだけでシールを達成することができる。これによって関連技術のようなガスケットの変形、破断、脱落、膨潤などの心配がなく、またガスケットが不必要な分、部品点数が少なくなり、構成が簡単である。またカートリッジおよびカートリッジホルダーでシールを達成するので、カートリッジを交換するだけで、元のシール性を確保することができる。またカートリッジは、充填される液体がなくなると交換されるので、ガスケットのように長時間交換されずに経年劣化などが生じ、シールを達成できなくなることを抑制できる。
【００２２】
また着座部がテーパ形状に形成されているので、楔効果を奏し、関連技術より密閉性の高いシールを達成することができ、吐出する液体に対する気体および異物の混入を抑制ができる。これによって気体および異物の混入が少ない純度の高い液体を吐出させることができる。また内吐出口部を外吐出口に向かってさらに押し込むことによって、楔効果によりシールの密閉性をさらに高めることができる。
【００２３】
また請求項５の考案に係る吐出装置によると、内吐出部と着座部とによってシールが達成されているので、プランジャを摺動変位させるときに注入されている圧縮気体が外吐出口部に達することを抑制でき、吐出する液体に圧縮気体が混入することを防ぐことができる。
【考案を実施するための最良の形態】
【００２４】
図１は、本考案の第１の実施の形態の供給装置１０を、軸線を含む仮想平面で切断してみた見た断面図である。図２は、供給装置１０を示す正面図である。図３は、供給装置１０の先端部を拡大して示す拡大断面図である。吐出装置の一形態である供給装置１０は、接着剤などの高粘度流体を対象物に吐出する、具体的には、塗布または充填する液体吐出装置、たとえばディスペンサーに高粘度流体を供給する装置である。液体吐出装置は、たとえばロボットアームの先端部に設けられ、供給装置１０は、この液体吐出装置に固定されて設けられている。供給装置１０は、カートリッジ１１と、カートリッジホルダー１２とを含む。供給装置１０は、基準となる軸線Ｌ１を有し、カートリッジ１１およびカートリッジホルダー１２は、前記軸線Ｌ１を基準に構成されている。
【００２５】
カートリッジ１１は、供給すべき高粘度流体が充填され、前記高粘度流体を吐出可能な容器である。カートリッジ１１は、合成樹脂から成り、好ましくは、ポリエチレン、またはポリプロピレンから成る。カートリッジ１１は、基本的に、カートリッジ本体１３と、カートリッジ吐出口部１４と、プランジャ１５とを備える。カートリッジ本体１３、カートリッジ吐出口部１４、およびプランジャ１５は、軸線をそれぞれ有し、各軸線が軸線Ｌ１に一致している。
【００２６】
カートリッジ本体１３は、有底円筒状に形成されている。内吐出口部であるカートリッジ吐出口部１４は、円筒状に形成されている。カートリッジ吐出口部１４は、その軸線とカートリッジ本体１３の軸線とが一致するように、カートリッジ本体１３の底部１６に一体的に形成され、前記底部１６から外方、本実施の形態では軸線Ｌ１方向一方（以下、「Ｘ方向」という）に向かって突出している。カートリッジ吐出口部１４は、その内方に軸線Ｌ１方向（以下、「Ｘ方向」という）に貫通する吐出通路１７を有し、この吐出通路１７がカートリッジ本体１３内方の空間１８に連通している。カートリッジ吐出口部１４は、中間部１４ａの外周面部に雄ねじが形成されている。プランジャ１５は、大略的に円盤状に形成され、シールを達成している状態で、カートリッジ本体１３内にＸ方向に摺動可能に嵌合されている。カートリッジ１１は、このプランジャ１５と底部１６との間の空間１８に高粘度流体が充填されている。
【００２７】
カートリッジホルダー１２は、カートリッジ１１を装填可能な保持具であり、カートリッジ１１に充填される高粘度流体を吐出可能に構成されている。カートリッジホルダー１２は、基本的に、ホルダー本体２１と、ホルダーヘッド２２と、ホルダーキャップ２３とを備える。ホルダー本体２１、ホルダーヘッド２２およびホルダーキャップ２３は、軸線を有し、各軸線はＬ１に一致している。ホルダー本体２１は、円筒状に形成され、その内方にカートリッジ１１を挿通可能に形成されている。またホルダー本体２１は、Ｘ方向両端部の外周面部に雄ねじが形成されている。
【００２８】
ホルダーヘッド２２は、カートリッジ１１より剛性の高い材料、具体的には、ステンレス鋼または炭素鋼などから成り、ホルダー本体２１のＸ方向一端部に螺着され、液体を吐出可能に構成されている。ホルダーヘッド２２は、キャップ部２５と、ホルダー吐出口部２６とを有する。キャップ部２５は、有底円筒状に形成されて、その開口部の内周部に雌ねじが形成されている。キャップ部２５は、ホルダー本体２１のＸ方向一端部が嵌まり込み、前記Ｘ方向一端部がシールを達成している状態で螺着されている。キャップ部２５の底部２７には、Ｘ１方向に突出するホルダー吐出口部２６が一体的に形成されている。キャップ部２５とホルダー吐出口部２６とは、その軸線が軸線Ｌ１に一致している。
【００２９】
外吐出口部であるホルダー吐出口部２６は、円筒状に形成され、その内方がキャップ部２５の内方と連通している。ホルダー吐出口部２６の内壁部には、そのＸ方向一端部に雌ねじが形成され、カートリッジ１１のカートリッジ吐出口部２６が螺着される。またホルダー吐出口部２６の内壁部は、Ｘ方向中間部に、Ｘ１方向に向かって先細りのテーパ形状に形成され、着座部２８を形成している。換言すると、ホルダー吐出口部２６の内壁部は、開口であるホルダー吐出口２９に向かって先細りのテーパ形状に形成され、着座部２８を形成している。カートリッジ吐出口部１４は、ホルダー吐出口部２６に螺着されている状態で、その先端部１４ｂの外周縁部が着座部２８に当接し、着座することによって、シールが達成される。着座部２８のテーパ角度は、好ましくは４５度以上９０度以下である。ただしこの角度に限定するものではない。
【００３０】
ホルダーキャップ２３は、有底円筒状に形成され、その開口部３０の内周部に雌ねじが形成されている。ホルダーキャップ２３の開口部３０には、ホルダー本体２１のＸ方向他端部が挿入され、前記Ｘ方向他端部がシールを達成した状態で螺着されている。またホルダーキャップ２３は、その内方にカートリッジ１１を挿入可能に構成されている。さらにホルダーキャップ２３の底部３１には、管継手３２が設けられている。管継手３２は、大略的に円筒状に形成され、そのＸ方向一端部が底部３１に螺着されている。管継手３２の軸線は、軸線Ｌ１に一致している。管継手３２の内壁部によって形成される供給路３３とホルダーキャップ２３の内方とは、連通している。管継手３２のＸ方向他端部は、圧縮空気などの圧縮気体を供給する圧縮気体供給源に機械的に接続され、供給路３３を介して、圧縮気体をホルダーキャップ２３の内方に供給可能に構成されている。
【００３１】
またカートリッジホルダー１２は、図示しない位置センサーが設けられており、この位置センサーによって、プランジャ１５が下死点に達したか否かを検出する。下死点とは、予め定められる位置であり、たとえばプランジャ１５によって押し出される高粘度流体圧力が予め定められる値以下になるプランジャ１５のＸ１方向の位置である。位置センサーは、たとえば磁気センサーであって、下死点に設けられ、磁性体からなるプランジャ１５が下死点に達すると、電気信号を出力可能に構成されている。この電気信号は、液体吐出装置の駆動を制御する制御部などに出力される。制御部は、前記電気信号を受信すると、充填される高粘度流体の残量が少ないことを警告する、または液体吐出装置の駆動を停止する。
【００３２】
このような構成を有する供給装置１０は、まずカートリッジ１１のカートリッジ吐出口部１４をホルダー吐出口部２６に螺着する。このとき、カートリッジ吐出口部１４の先端部１４ｂが着座部２８に着座してから、さらに角度９０度以上角度２７０度以下の範囲内の締め込み角度で締め込みを行う。これによってカートリッジ吐出口部１４の先端部１４ｂが着座部２８に嵌まり込んでいき、楔効果により、カートリッジ吐出口部１４と着座部２８とによって、充分な密閉性が得られる。ただし締め込み角度は、前記角度の範囲内に限定するものではなく、充分な密閉性が得られればよい。
【００３３】
次にカートリッジ１１をホルダー本体２１に挿通させるとともに、ホルダー本体２１のＸ方向一端部をホルダーヘッド２２に螺着する。さらにカートリッジ１１をホルダーキャップ２３に嵌め込み、ホルダーキャップ２３の開口部３０をホルダー本体２１のＸ方向他端部を螺着する。これによってカートリッジホルダー１２内に、カートリッジ１１が装填される。このようにしてカートリッジ１１が装填されているカートリッジホルダー１２には、カートリッジホルダー１２の内壁部３４とカートリッジ１１の外壁部３５との間に間隙２４が形成されている。この間隙２４は、カートリッジ吐出口部１４と着座部２８とでシールを達成することによって、吐出路３７と遮断される。吐出路３７とは、カートリッジ吐出口部１４およびホルダー吐出口部２６の内壁部によって形成される、高粘度流体を吐出するための通路である。このようにして構成される供給装置１０は、たとえば図示しない液体吐出装置に装着し、ホルダー吐出口部２６が配管３８を介して液体吐出装置に機械的に接続され、管継手３２が配管３９を介して圧縮気体の供給源である図示しない圧縮気体供給源、たとえばエアーコンプレッサーに機械的に接続されている。
【００３４】
以下では、供給装置１０がカートリッジ１１に充填される高粘度流体を吐出し、液体吐出装置に供給する動作を説明する。圧縮気体供給源を駆動して、圧縮気体供給源から、配管３９および管継手３２を介して、カートリッジホルダー１２の内方に圧縮気体、たとえば０．４ＭＰａの圧縮空気が供給され、注入される。このように圧縮気体が注入されると、カートリッジ１１内の空間１８を除く部分にも圧縮気体が導かれ、この圧縮気体がプランジャ１５をＸ１方向に押圧する。押圧されているプランジャ１５は、Ｘ１方向に摺動変位し高粘度流体をカートリッジ１１内から押し出す。連続的に押し出すことによって、高粘度流体が、カートリッジ吐出口部１４の開口であるカートリッジ吐出口３６を通じて、ホルダー吐出口部２６に吐出され、さらにホルダー吐出口２９を通じて吐出され、液体吐出装置に供給される。液体吐出装置から高粘度流体を吐出する場合、上記のような動作が行われて、液体吐出装置に高粘度流体が供給される。これに対し、液体吐出装置からの吐出を停止すると、高粘度流体が流動しなくなり、高粘度流体からの反力によってプランジャ１５の摺動変位が停止し、高粘度流体の供給が停止する。液体吐出装置の吐出を再開すると、またプランジャがＸ１方向に摺動変位し、高粘度流体の供給が再開される。高粘度流体の供給が行われ、充填される高粘度流体の残量が少なくなり、プランジャ１５が下死点に達すると、位置センサーから電気信号が出力され、制御部が警告などをする。
【００３５】
また供給装置１０では、カートリッジ吐出口部１４と着座部２８とによってシールを達成してシール構造４０を構成し、間隙２４と吐出路３７とを遮断する。これによって圧縮気体が間隙２４から吐出路３７に流入することがなく、供給する高粘度流体に圧縮気体および異物が混入することを防ぐことができる。
【００３６】
また間隙２４を形成することによって、間隙２４に圧縮気体が導かれ、カートリッジ本体１３の内外圧を同一にすることができる。これによってカートリッジ本体１３が変形し、膨張することを防ぎ、プランジャ１５の外周面部とカートリッジ本体１３の内周面部との間のシール性を確保することができる。これによって充填される高粘度流体内に圧縮気体および異物が混入することを防ぐことができる。
【００３７】
以下では、このようにして構成される供給装置１０に関して行った耐圧試験の方法およびその結果を説明する。まず耐圧試験の前に、カートリッジ１１のカートリッジヘッド２１に対する、締め込み角度と締め込み量との関係を確認した。締め込み量は、カートリッジ１１の先端部１４ａが着座部に初めて着座した位置を０ｍｍとし、Ｘ１方向を正とした。締め込み角度は、前記０ｍｍの位置にあるときを０度とした。締め込み量は、締め込み角度が０度以上３６０度以下の範囲内では、締め込み角度に比例し、３６０度以上になると、カートリッジのねじがぼけてしまい、締め込み量が減少する。したがって０度以上３６０度以下にすることが好ましい。
【００３８】
次に水中において、供給装置１０から高粘度流体を吐出させ、シールが達成されているか否かを確認する試験を行った。具体的には、供給装置１０を水槽内に入れ、圧縮気体を間歇的に供給し（具体的には、１０回繰り返した）、水槽内に気泡が発生していないかを確認し、シールの達成の有無を確認する試験を行った。この試験は、複数の締め付け角度で試験を行った。具体的には、締め付け角度を、０度から始めて、４５度間隔で試験を行い、３６０度まで行った。このような試験を行った結果、締め付け角度が９０度以上３６０度以下の範囲において、気泡が発生しなかった。
【００３９】
さらに上記試験において、圧縮気体の空気圧を１ＭＰａまで上昇させた場合の試験も行った。この試験の結果も、前述の結果同様に、気泡が発生しなかった。これら２つの試験によって供給装置１０は、供給する高粘度流体に圧縮気体が混入しないことが確認できる。
【００４０】
以下では、供給装置１０が達成する効果について説明する。本実施の形態のシール構造４０、カートリッジホルダー１２および供給装置１０によると、着座部２８がテーパ形状であるので、カートリッジ吐出口部１４の先端部１４ｂと着座部２８とによってシールを達成できる、つまりカートリッジ１１およびカートリッジホルダー１２だけでシールを達成することができ、ガスケットを必要としない。これによって関連技術のようなガスケットの変形、破断、脱落、膨潤などの心配がなく、またガスケットが不必要な分、部品点数が少なくなり、構成が簡単である。またカートリッジ１１およびカートリッジホルダー１２でシールを達成するので、カートリッジ１１を交換するだけで、元のシール性を確保することができる。またカートリッジ１１は、充填される液体がなくなると交換されるので、ガスケットのように長時間交換されずに経年劣化などが生じ、シールを達成できなくなることを抑制できる。
【００４１】
また着座部２８がテーパ形状に形成されているので、楔効果を奏し、関連技術より密閉性の高いシールを達成することができ、吐出する高粘度流体に気体および異物が混入することを抑制できる。これによって気体および異物の混入が少ない純度の高い液体を吐出させることができる。またカートリッジ吐出口部１４を外吐出口２９に向かってさらに押し込むことによって、楔効果によりシールの密閉性をさらに高めることができる。
【００４２】
本実施の形態のシール構造４０およびカートリッジホルダー１２および供給装置１０によると、カートリッジ１１を外吐出口２９に向かって締め込む、つまりＸ１方向に締め込むことによって、カートリッジ吐出口部１４が着座部２８の先端側へと嵌め込まれシールが達成される。このように締め込むことによって、シールを達成するので、締め込み量を調整することによって、締め付け強度を調整することができる。
【００４３】
本実施の形態のシール構造４０およびカートリッジホルダー１２および供給装置１０によると、カートリッジ吐出口部１４を着座部２８に着座させることによって、合成樹脂の柔軟性によりカートリッジ吐出口部１４が変形し、良好なシールを実現することができる。また着座部２８がカートリッジ吐出口部１４より剛性の高い材料から成るので、シールを達成するとき、カートリッジ吐出口部１４が変形し、着座部２８は変形しない。それ故、使用するとともにカートリッジの変形が大きくなりシール性が低下するが、着座部２８が変形しないので、カートリッジ１１を交換することで元のシール性を確保することができる。カートリッジのような消耗品を交換するだけで、元のシール性を確保することができ、利便性が高い。
【００４４】
本実施の形態のシール構造４０およびカートリッジホルダー１２および供給装置１０によると、ホルダー吐出口部２６の内壁部をテーパ形状に形成しているので、カートリッジ吐出口部１４の先端部１４ｂの外周縁部を前記ホルダー吐出口部１４の内壁部に当接することによって、楔効果が得られ、シール構造４０は、充分な密閉性を得ることができる。
【００４５】
本実施の形態の供給装置１０によると、カートリッジホルダー１２に圧縮気体が注入されると、プランジャ１５がカートリッジ吐出口３６に向かってカートリッジ本体１３内を摺動変位し、ホルダー吐出口２９から高粘度流体を吐出する。カートリッジ吐出口部１４と着座部２８とによって、圧縮気体が吐出路３７に漏れないようにシールが達成されているので、圧縮気体が高粘度流体に混入されることを抑制できる。
【００４６】
本実施の形態の供給装置１０によると、カートリッジ本体１３とカートリッジホルダー１２との間に圧縮気体が導かれ、これによってカートリッジ本体１３に外方から内方に向かう荷重が作用し、カートリッジ本体１３が変形し膨張することが抑制される。これによってカートリッジ本体１３が膨張してカートリッジ本体１３とプランジャ１５との間に隙間ができ、カートリッジ本体１３に充填される高粘度流体がカートリッジホルダー内に漏れる、または前記充填される高粘度流体に圧縮気体が混入することを防止できる。
【００４７】
本実施の形態の供給装置１０によると、供給装置１０から液体吐出装置に高粘度流体を供給することができるので、液体吐出装置に気体および異物が混入していない純度の高い高粘度流体を供給し、液体吐出装置によって前記高粘度流体を塗布、または充填などすることができる。これによって液体吐出装置から吐出される高粘度流体に気泡および異物が含まれることを防ぐことができ、品質の高い高粘度流体を塗布または充填などすることができる。
【００４８】
本実施の形態の供給装置１０によると、高粘度流体を用いているので、このような簡単な構造であっても充分なシール性を発揮することができ、気体および異物が混入しない品質の高い高粘度流体を吐出することができる。
【００４９】
図４は、本考案の第２の実施の形態の供給装置１０Ａの先端部を拡大して示す拡大断面図である。実施の第２の形態の供給装置１０Ａは、第１の実施の形態の供給装置１０に構成が類似している。したがって供給装置１０Ａの構成については、第１の実施の形態の供給装置１０と異なる構成についてだけ説明し、同一の構成については、同一の符号を付してその説明を省略する。カートリッジ１１のカートリッジ吐出口部１４Ａの先端部４１は、その外周面部が先端に向かうにつれて先細りになるテーパ形状に形成されている。換言すると、前記先端部４１は、カートリッジ吐出口３６に向かって先細りのテーパ形状に形成されている。前記先端部４１は、そのテーパ面がシート部２８のテーパ面と一致し、シート部２８に嵌め合い可能に形成されている。
【００５０】
供給装置１０Ａでは、カートリッジ吐出口部１４Ａをホルダー吐出口部２６に螺着し、Ｘ１方向に締め込むことによって、カートリッジ吐出口部１４Ａの先端部４１の外周面部がシート部２８に当接して着座してから、さらにＸ１方向に締め込むことによってシールが達成される。
【００５１】
以下では、本実施の形態の供給装置１０Ａが達成する効果について説明する。本実施の形態のシール構造４０、カートリッジホルダー１２および供給装置１０Ａによると、カートリッジ吐出口部１４Ａの先端部４１の外周面部がテーパ形状に形成されているので、前記先端部４１の外周面部が着座部２８に嵌合し、面接触によるシールを達成することができ、前記先端部４１の外周面部の変形および破損を防止できる。
【００５２】
本実施の形態のシール構造４０、カートリッジホルダー１２および供給装置１０Ａによれば、第１の実施の形態のシール構造４０、カートリッジホルダー１２および供給装置１０と同様の効果を奏する。
【００５３】
本実施の形態では、高粘度流体を用いて説明しているけれども、必ずしも高粘度流体に限定するものではなく、液体であればよい。また本実施の形態において、液体に流動体および軟膏を含む。また本実施の形態では、圧縮気体に圧縮空気を用いているけれども、圧縮空気に限定するものではなく、圧縮された窒素などの圧縮気体であればよい。また本実施の形態は、供給装置について説明しているけれども、供給装置に限定するものではなく、液体を吐出するものであればよい。また供給装置１０は、液体吐出装置に固定されるものに限定されない。
【００５４】
また本実施の形態では、位置センサーによって、高粘度流体の残量を検出しているけれども、圧力センサーによって、ホルダー吐出口２９から吐出される高粘度流体の吐出圧を検出することによって、残量を検出してもよい。
【００５５】
また本実施の形態では、着座部２８が、外吐出口２９に向かって先細りの内テーパ形状に形成されているけれども、外吐出口２９に向かう方向と逆の方向に向かって突出し、かつ前記方向に向かって先細りの外テーパ形状に形成されてもよい。この場合、着座部２８には、カートリッジ吐出口部１４の内周面部が着座しシールを達成している。
【００５６】
さらに本実施の形態において、カートリッジ本体１３の底部１６とキャップ２２の底部２７との間に、図３の二点鎖線で示すような円環状のスペーサ５０を介在させてもよい。スペーサ５０は、カートリッジ本体１３とキャップ２２との相対位置を規定するものであり、スペーサ５０を介在させることによって、カートリッジ１１が予め定められる締め込み量以上の締め込みができないようになる。これによってカートリッジ１１が過度に締め込まれることを抑制できる。
【産業上の利用可能性】
【００５７】
以上のように、本考案に係るシール構造、カートリッジホルダーおよび吐出装置は、ガスケットを用いることなく、充分なシールを達成することができる優れた効果を有し、液体を吐出する吐出装置に適用するのに適している。
【図面の簡単な説明】
【００５８】
【図１】本考案の第１の実施の形態の供給装置１０を、軸線を含む仮想平面で切断してみた見た断面図である。
【図２】供給装置１０を示す正面図である。
【図３】供給装置１０の先端部を拡大して示す拡大断面図である。
【図４】本考案の第２の実施の形態の供給装置の先端部を拡大して示す拡大断面図である。
【図５】関連技術である供給装置の一部を拡大して示す正面図である。
【符号の説明】
【００５９】
１０，１０Ａ  供給装置
１１  カートリッジ
１２  カートリッジホルダー
１３  カートリッジ本体
１４  カートリッジ吐出口部
１５  プランジャ
２４  間隙
２６  ホルダー吐出口部
２８  着座部
【図１】
0003128233.tif 000003
【図２】
0003128233.tif 000004
【図３】
0003128233.tif 000005
【図４】
0003128233.tif 000006
【図５】
0003128233.tif 000007